(57)【要約】【課題】防水構造の施工の現場での作業時間を短縮し、塗料の溶剤の使用を低減し、さらに外部床の側壁の外装パネルの材質や厚みによらず適用可能な外部床の防水構造を実現する。【解決手段】建物の外部床の防水構造１は、複数の防水鋼板４３と、防水フィルム７０を有している。防水鋼板４３は、矩形状の平坦部５０と、その平坦部５０の少なくとも１辺に形成された起立部５１を有し、外部床の床板上に敷設されて全体でパン状の防水層Ｂを形成する。防水フィルム７０は、隣り合う防水鋼板４３のつなぎ目部分Ｄを覆う。隣り合う防水鋼板４３の間には隙間Ｃが設けられている。【選択図】図２
2012036660.tif 000002
【特許請求の範囲】
【請求項１】
建物の外部床の防水構造であって、
矩形状の平坦部と、その平坦部の少なくとも１辺に形成された起立部を有し、外部床の床板上に複数敷設されて全体でパン状の防水層を形成する防水鋼板と、
隣り合う前記防水鋼板のつなぎ目部分を覆う防水フィルムと、を有する、建物の外部床の防水構造。
【請求項２】
前記防水鋼板の表面には、防錆膜が被覆されている、請求項１に記載の建物の外部床の防水構造。
【請求項３】
前記防錆膜は、ウレタン系塗料により形成され、
前記防水フィルムは、粘着性を有するＦＲＰにより形成されている、請求項２に記載の建物の外部床の防水構造。
【請求項４】
前記隣り合う防水鋼板の間には隙間が設けられている、請求項１〜３のいずれかに記載の建物の外部床の防水構造。
【請求項５】
前記隙間は、前記防水鋼板の想定熱膨張量に基づいて設定されている、請求項４に記載の建物の外部床の防水構造。
【請求項６】
前記防水鋼板は、前記床板に対してネジにより固定され、
前記防水鋼板には、前記ネジが通る貫通孔が形成され、
前記貫通孔は、前記防水鋼板が熱膨縮できるように前記ネジよりも大きな径を有する、請求項４又は５に記載の建物の外部床の防水構造。
【請求項７】
前記貫通孔は、隣の前記防水鋼板との間の前記隙間のある方向に長い長孔である、請求項６に記載の建物の外部床の防水構造。
【請求項８】
前記貫通孔の長径は、前記防水鋼板の想定熱膨縮量に基づいて設定されている、請求項６又は７に記載の建物の外部床の防水構造。
【請求項９】
前記ネジは、前記防水鋼板の隙間の近傍に位置し、前記防水フィルムは、前記ネジを覆っている、請求項６〜８のいずれかに記載の建物の外部床の防水構造。
【請求項１０】
前記防水フィルムと前記ネジとの間には、前記防水フィルムと前記ネジの接触を防止する接触防止フィルムが設けられている、請求項９に記載の建物の外部床の防水構造。
【請求項１１】
前記接触防止フィルムは、伸縮性を有する、請求項１０に記載の建物の外部床の防水構造。
【請求項１２】
前記防水フィルムは、前記隣り合う防水鋼板のつなぎ目部分を当該つなぎ目部分に沿って帯状に覆い、当該隣り合う各防水鋼板に固定されている、請求項１〜１１のいずれかに記載の建物の外部床の防水構造。
【請求項１３】
前記防水鋼板上には、前記防水フィルムを覆うフィルム保護板が設けられている、請求項１〜１２のいずれかに記載の建物の外部床の防水構造。
【請求項１４】
前記起立部の先端は、外部床の側壁の外装パネルの内側に貼り付けられた透湿防水シートと、当該透湿防水シートの内側の壁下地との間に挟まれている、請求項１〜１３のいずれかに記載の建物の外部床の防水構造。
【発明の詳細な説明】
【技術分野】
【０００１】
本発明は、バルコニー等の建物の外部床の防水構造に関する。
【背景技術】
【０００２】
従来より、建物の外部床の内部に水が侵入するのを防止するため、外部床には、防水対策が施されている。例えば外部床の防水構造には、床板上のガラス繊維マットの隙間にポリエステル等の液状の合成樹脂を塗布し硬化させたＦＲＰ防水構造や、軟質の塩化ビニル等の合成樹脂シートを貼り付けるシート防水構造がある（特許文献１、２参照。）。
【先行技術文献】
【特許文献】
【０００３】
【特許文献１】特開２００２−３３１６３２号公報
【特許文献２】特開平１１−２２２９８８号公報
【発明の概要】
【発明が解決しようとする課題】
【０００４】
しかしながら、上述のＦＲＰ防水構造の場合、液体を塗布し硬化させて防水層を形成するものであり、さらにプライマーや表面の保護仕上げ塗料の塗布、乾燥も必要とするので、現場での湿式工程が多く、作業に時間がかかる。また、施工中に溶剤を多量に使用するため、住宅街等で使用する場合近隣住民に対する配慮が必要となる。
【０００５】
また、シート防水構造の場合、ＦＲＰ防水構造に比べて乾式工程が多くはなるが、軟質の防水シートの立ち上がり部分を外部床の側壁に固定するために、側壁の外装パネルに溝を形成し、当該溝に防水シートの立ち上がり部分の先端を入れシール材で塞ぐ必要がある。このため、側壁の外装パネルが、窯業系サイディング材等の薄いものの場合には、十分な溝を形成するのが困難であり、シート防水構造を適用できない場合がある。
【０００６】
本発明は、かかる点に鑑みてなされたものであり、防水構造の施工の現場での作業時間を短縮し、塗料の溶剤の使用を低減し、さらに外部床の側壁の外装パネルの材質や厚みによらず適用可能な、外部床の防水構造を提供することをその目的とする。
【課題を解決するための手段】
【０００７】
上記目的を達成するための本発明は、建物の外部床の防水構造であって、矩形状の平坦部と、その平坦部の少なくとも１辺に形成された起立部を有し、外部床の床板上に複数敷設されて全体でパン状の防水層を形成する防水鋼板と、隣り合う前記防水鋼板のつなぎ目部分を覆う防水フィルムと、を有している。
【０００８】
本発明によれば、複数の防水鋼板が床上に敷設されてパン状の防水層が形成されるので、乾式工程により防水層の形成を行うことができ、防水構造の施工の現場での作業時間を短縮し、塗料の溶剤の使用量を低減できる。また、防水鋼板のつなぎ目部分が防水フィルムで覆われているので、防水性も確保できる。また、防水鋼板の起立部が自立するので、防水シートのように外装パネルに溝などを形成する必要がなく、外部床の側壁の材質や厚みによらず適用できる。
【０００９】
前記防水鋼板の表面には、防錆膜が被覆されていてもよい。また、前記防錆膜は、ウレタン系塗料により形成され、前記防水フィルムは、粘着性を有するＦＲＰにより形成されていてもよい。
【００１０】
前記隣り合う防水鋼板の間には隙間が設けられていてもよい。
【００１１】
前記隙間は、前記防水鋼板の想定熱膨張量に基づいて設定されていてもよい。
【００１２】
前記防水鋼板は、前記床板に対してネジにより固定され、前記防水鋼板には、前記ネジが通る貫通孔が形成され、前記貫通孔は、前記防水鋼板が熱膨縮できるように前記ネジよりも大きな径を有していてもよい。
【００１３】
前記貫通孔は、隣の前記防水鋼板との間の前記隙間のある方向に長い長孔であってもよい。
【００１４】
前記貫通孔の長径は、前記防水鋼板の想定熱膨縮量に基づいて設定されていてもよい。
【００１５】
前記ネジは、前記防水鋼板の隙間の近傍に位置し、前記防水フィルムは、前記ネジを覆っていてもよい。
【００１６】
前記防水フィルムと前記ネジとの間には、前記防水フィルムと前記ネジの接触を防止する接触防止フィルムが設けられていてもよい。
【００１７】
前記接触防止フィルムは、伸縮性を有していてもよい。
【００１８】
前記防水フィルムは、前記隣り合う防水鋼板のつなぎ目部分を当該つなぎ目部分に沿って帯状に覆い、当該隣り合う各防水鋼板に固定されていてもよい。
【００１９】
前記防水鋼板上には、前記防水フィルムを覆うフィルム保護板が設けられていてもよい。
【００２０】
前記起立部の先端は、外部床の側壁の外装パネルの内側に貼り付けられた透湿防水シートと、当該透湿防水シートの内側の壁下地との間に挟まれていてもよい。
【発明の効果】
【００２１】
本発明によれば、防水構造の施工の現場での作業時間を短縮し、塗料の溶剤の使用を低減し、さらに外部床の側壁の外装パネルの材質や厚みによらず適用可能な外部床の防水構造を実現できる。
【図面の簡単な説明】
【００２２】
【図１】外部床の防水構造を適用した建物構造を示す説明図である。
【図２】複数の防水鋼板により形成されたパン状の防水層を示す模式図である。
【図３】防水鋼板のつなぎ目部分を示す説明図である。
【図４】防水フィルム上に並べられたフィルム保護板を示す説明図である。
【図５】防水フィルム上に載置されたフィルム保護板を示す説明図である。
【図６】起立部の先端が透湿防水シートと壁下地の間に挟まれている場合の防水構造を示す説明図である。
【発明を実施するための形態】
【００２３】
以下、図面を参照して、本発明の好ましい実施の形態について説明する。図１は、本実施の形態に係る建物の外部床の防水構造１を適用した建物構造２を示す説明図である。
【００２４】
建物構造２は、例えばベランダやバルコニーなどの外部床２０を有するものであり、外部床２０は、例えば矩形状で平坦な床２１と、その床２１の四方を囲む側壁２２を有している。例えば建物本体Ａ側の側壁２２は、建物の外壁を構成し、その他の側壁２２は、例えば腰壁状の手摺を構成している。
【００２５】
床２１は、例えば軒天井４０の上方において建物の本体Ａ側から外壁１１まで水平に突出した床梁部４１と、当該床梁部４１上に設置された構造用合板からなる床板４２と、床板４２上に敷設された複数の防水鋼板４３を有している。
【００２６】
各防水鋼板４３は、図２に示すように矩形状の平坦部５０と、その平坦部５０の１辺若しくは２辺に形成された起立部５１を有している。平坦部５０と起立部５１の表面には、防錆塗布膜が形成されている。防水鋼板４３を、床板４２上に複数組み合わせて敷設することにより全体でパン状の防水層Ｂを形成している。例えば防水鋼板４３のうち、１辺に起立部５１があるＬ字型のもの同士を対向配置し、２辺に起立部５１があるものを４隅に配置する。防水鋼板４３は、例えば高耐食性合金が好ましい。
【００２７】
隣り合う防水鋼板４３のつなぎ目部分Ｄには、図３に示すように防水鋼板４３の熱膨張を考慮して隙間Ｃが設けられている。隙間Ｃは、例えば防水鋼板４３の想定熱膨張量に基づいて設定されている。例えば隙間Ｃは、上記構成の外部床２０の施工後に想定される防水鋼板４３の最高温度と防水鋼板４３の製造時の温度の差である想定最大温度差を求め、その想定最大温度差に、防水鋼板４３の線膨張率と、防水鋼板４３の（製造時の）幅寸法とを掛け合わせて想定最大熱膨張量を求め、その想定最大熱膨張量に所定の安全率を掛け合わせて求められる。
【００２８】
防水鋼板４３は、床板４２に対してネジ６０により固定されている。ネジ６０は、防水鋼板４３のつなぎ目部分Ｄに沿った複数個所に設けられている。防水鋼板４３には、ネジ６０が通る貫通孔６１が形成されている。貫通孔６１は、防水鋼板４３が熱膨縮できるようにネジ６０よりも大きな径を有している。例えば貫通孔６１は、隣の防水鋼板４３との間の隙間Ｃのある方向に長い長孔であり、その長径は、防水鋼板４３の想定熱膨張量及び想定熱収縮量に基づいて設定されている。具体的には、貫通孔６１の径は、隙間Ｃと同様の考え方に基づいて、構造用合板からなる床板４２の熱膨張や熱収縮はないものとして、防水鋼板４３が夏季に幅方向に最大限膨張した際及び冬期に最大限収縮した際に、ネジ６０と貫通孔６１の縁の部分とが干渉しないように設定されている。
【００２９】
防水鋼板４３のつなぎ目部分Ｄは、防水フィルム７０により覆われている。防水フィルム７０は、防水鋼板４３のつなぎ目部分Ｄに沿った帯状に形成され、隣り合う防水鋼板４３のネジ６０を跨ぐような幅広に形成されている。防水フィルム７０は、例えば防水性及び粘着性を有するＦＲＰ（Fiber Reinforced Plastics）により構成されている。防水フィルム７０の幅方向の両側部７０ａは、例えば接着剤により防水鋼板４３に接着されている。
【００３０】
防水フィルム７０とネジ６０との間には、接触防止フィルム７１が設けられている。接触防止フィルム７１は、防水フィルム７０の下面に貼り付けられている。接触防止フィルム７１は、例えばブチルゴムなどからなり伸縮性を有している。
【００３１】
防水鋼板４３の平坦部５０上の防水フィルム７０上には、図４及び図５に示すようにフィルム保護板８０が設けられている。フィルム保護板８０は、例えば厚みのある方形板状に形成され、防水フィルム７０に沿って複数並べて設置されている。フィルム保護板８０の下面には、湾曲状の凹部８０ａとその両側の脚部８０ｂが形成されている。フィルム保護板８０は、防水フィルム７０を幅方向に跨ぐように載置され、防水フィルム７０は、フィルム保護板８０の凹部８０ａ内に収容されている。また、フィルム保護板８０の上面は平坦面になっている。
【００３２】
防水構造１の施工は、例えば表面に予め防錆塗布膜が被膜され、外部床２０の寸法に適合する複数の防水鋼板４３が用意される。各防水鋼板４３が床板４２上に敷設され、ネジ６０により固定されて、パン状の防水層Ｂが形成される。このとき、隣合う防水鋼板４３のつなぎ目部分Ｄには、隙間Ｃが設けられる。次に、防水鋼板４３のつなぎ目部分Ｄに、接触防止フィルム７１と防水フィルム７０が貼られ、その上にフィルム保護板８０が載置される。
【００３３】
以上の実施の形態によれば、複数の防水鋼板４３が床板４２上に敷設されてパン状の防水層Ｂが形成されるので、乾式工程により防水層Ｂの形成を行うことができ、防水構造１の施工の現場での作業時間を短縮し、塗料の溶剤の使用量を低減できる。また、防水鋼板４３のつなぎ目部分Ｄが防水フィルム７０で覆われているので、防水性も確保できる。また、剛性のある防水鋼板４３の起立部５１が自立するので、防水シートのように側壁２２の外装パネルに溝などを形成する必要がなく、外部床２０の側壁２２の材質や厚みによらず適用できる。さらに、複数の防水鋼板４３によって防水層Ｂが形成されているので、各防水鋼板４３の熱や、その熱による熱膨張がそれぞれ絶縁されており、他の防水鋼板４３への影響を最小限に留めることができる。これにより、防水層Ｂ全体の歪みや亀裂を防止できる。
【００３４】
特に、本実施の形態における防水構造１は、各部位の仕様・寸法等が規格化された工業化住宅のバルコニ−、外廊下等の外部床２０に好適に利用できる。中でも、単純な平面形状で同一寸法のバルコニーが複数の住戸に採用されることが多い集合住宅において利用価値が高い。
【００３５】
防水鋼板４３の表面には、防錆塗膜層が被覆されているので、防水鋼板４３を防水層として長期にわたり使用できる。また、防水鋼板４３の防錆塗膜層は、ウレタン系塗料により形成され、防水フィルム７０は、ウレタン系塗料となじみがよいＦＲＰにより形成されているので、防水鋼板４３と防水フィルム７０の密着性が高く、確実に防水を行うことができる。
【００３６】
防水鋼板４３は、一般的にＦＲＰ防水構造やシート防水構造に比べて比較的熱膨張率が高くなるが、隣り合う防水鋼板４３の間には隙間Ｃが設けられているので、日射の影響を受けて防水鋼板４３が熱膨張して、防水鋼板４３同士が干渉したり防水鋼板４３のネジ６０などの固定部を損傷することを防止できる。
【００３７】
隙間Ｃは、防水鋼板４３の想定熱膨張量に基づいて設定されているので、隙間Ｃの量が過不足なく適切に設定され、防水鋼板４３同士の干渉や防水鋼板４３の固定部の損傷を適切に防止しつつ、防水層Ｂの防水性も適切に確保できる。
【００３８】
防水鋼板４３は、床板４２に対してネジ６０により固定され、防水鋼板４３には、ネジ６０が通る貫通孔６１が形成され、貫通孔６１は、防水鋼板４３がネジ６０よりも大きな径を有している。これにより、防水鋼板４３が熱膨縮した際の固定部の損傷を防止できる。
【００３９】
貫通孔６１は、防水鋼板４３との間の隙間Ｃのある方向に長い長孔に形成されているので、防水鋼板４３の隙間Ｃ方向への熱膨縮に好適に対応できる。
【００４０】
また、貫通孔６１の径は、防水鋼板４３の想定熱膨張量に基づいて設定されているので、貫通孔６１とネジ６０の間の隙間の量が過不足なく適切に設定され、防水鋼板４３の固定部の損傷を適切に防止しつつ、ネジ６０の固定機能も適切に確保できる。
【００４１】
防水フィルム７０は、ネジ６０の部分も覆っているので、ネジ６０の隙間からの漏水が防止され、防水層Ｂの防水性を向上できる。
【００４２】
防水フィルム７０とネジ６０との間には、接触防止フィルム７１が設けられているので、防水鋼板４３が膨縮した際にネジ６０に対して相対移動する防水フィルム７０の損傷を防止できる。
【００４３】
また、接触防止フィルム７１は、伸縮性を有しているので、防水鋼板４３の膨縮や防水フィルム７０の移動に追従して紳縮し、接触防止フィルム７１自体の損傷を防止できる。
【００４４】
防水フィルム７０は、隣り合う防水鋼板４３のつなぎ目部分Ｄを当該つなぎ目部分Ｄに沿って帯状に覆い、当該隣り合う各防水鋼板４３に固定されているので、つなぎ目部分Ｄの高い防水性を確保できる。
【００４５】
防水鋼板４３上には、防水フィルム７０を覆うフィルム保護板８０が設けられているので、歩行による防水フィルム７０の損傷を防止し防水鋼板４３のつなぎ目部分Ｄの防水性を確保できる。また、フィルム保護板８０の上面が平坦であるので、床面全体をフラットにし歩行し易くなる。
【００４６】
上記実施の形態において、防水鋼板４３の起立部５１の先端は、図６に示すように外部床２０の側壁２２の床面に面する外装パネル９０の内側に貼り付けられた透湿防水シート９１と、透湿防水シート９１の内側の壁下地９２との間に挟まれていてもよい。例えば外装パネル９０と透湿防水シート９１の下端部の高さは、平坦部５０まで到達せず、起立部５１と若干の重なり代を有する程度に設定されている。外装パネル９０の下端部には、図示しない見切（水切）材が設けられている。
【００４７】
かかる場合、例えば外装パネル９０の目地部から入って透湿防水シート９１の表面に沿って落下する水を確実に防水層Ｂで受け止めることができる。このため、側壁２２の内部等に水が侵入するのを防止できるので、建物の耐久性を向上させることができる。なお、腰壁状手摺となる側壁２２の場合、壁下地９２は例えば板状発泡断熱材であり、起立部５１の先端は、透湿防水シート９１と板状発泡断熱材の間に挟まれる。
【００４８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４９】
例えば以上の実施の形態において防水鋼板４３は、平坦部５０の１辺若しくは２辺に起立部５１が形成されていたが、平坦部５０の３辺、４辺に起立部５１が形成されていてもよい。また、本発明は、バルコニーやベランダに限られず、建物の外に露出する床を有する他の外部床にも適用できる。
【産業上の利用可能性】
【００５０】
本発明は、防水構造の施工の現場での作業時間を短縮し、塗料の溶剤の使用を低減し、さらに外部床の側壁の外装パネルの材質や厚みによらず適用可能な外部床の防水構造を実現する際に有用である。
【符号の説明】
【００５１】
１  防水構造
２０  外部床
２１  床
２２  側壁
４３  防水鋼板
５０  平坦部
５１  起立部
７０  防水フィルム
Ａ  建物本体
Ｂ  防水層
Ｃ  隙間
Ｄ  防水鋼板のつなぎ目部分
【図１】
2012036660.tif 000003
【図２】
2012036660.tif 000004
【図３】
2012036660.tif 000005
【図４】
2012036660.tif 000006
【図５】
2012036660.tif 000007
【図６】
2012036660.tif 000008